(57)【要約】【課題】例えば、フレキシブルケーブル用コネクタに関し、フレキシブルケーブルの保持力を強化するとともに当該ケーブルの挿入作業の作業性を向上させることが課題である。【解決手段】フレキシブルなフラットケーブルを、コネクタ本体である絶縁ハウジング２とこれに回動自在に支持されるカバー３とで挟持して前記絶縁ハウジングに配設されたコンタクトに電気的に接続させるフレキシブルケーブル用コネクタにおいて、前記カバー３に前記フラットケーブルを挿入させるための挿入ガイド部２ｇを設けたフレキシブルケーブル用コネクタ１とする。【選択図】　　図１
2004111141.tif 000002
【特許請求の範囲】
【請求項１】
フレキシブル基板を、コネクタ本体である絶縁ハウジングとこれに回動自在に支持されるカバーとで挟持して前記絶縁ハウジングに配設されたコンタクトに電気的に接続させる電気コネクタにおいて、
前記カバーに前記フレキシブル基板を挿入させるための挿入ガイド部を設けたこと、
を特徴とする電気コネクタ。
【請求項２】
カバーにフレキシブル基板の先端部を曲線状の段差部で仮止めする仮止め手段が設けられていること、
を特徴とする請求項に１記載の電気コネクタ。
【請求項３】
カバーの上面に、フレキシブル基板の先端部が所定の位置まで挿入されたか否かを目視させる挿入確認窓が設けられていること、
を特徴とする請求項１または２に記載の電気コネクタ。
【請求項４】
フレキシブル基板を挟持するカバーと絶縁ハウジングとの両挟持面のそれぞれに、凹凸部を設けると共に、前記カバーの回転を阻止する回転止め手段が絶縁ハウジングに設けられていること、
を特徴とする請求項１乃至３のいずれかに記載の電気コネクタ。
【発明の詳細な説明】
【０００１】
【発明の属する技術分野】
本発明は、電気コネクタに係り、詳しくは、フレキシブルプリント回路基板（以下、単にＦＰＣという）やフレキシブルフラットケーブル（以下、単にＦＦＣという）等のフレキシブル基板用の電気コネクタにおいて、該フレキシブル基板の保持力を強化するとともに、当該フレキシブル基板の挿入作業の作業性を向上させた電気コネクタに関する。
【０００２】
【従来の技術】
従来において、電気コネクタとしては、ＦＰＣ若しくはＦＦＣ等のフレキシブル基板の先端を、プリント基板上に実装された電気コネクタに挿入されて、直接接続される。これにより、携帯電話やノート型パーソネルコンピュータ等の電子機器を一層小型化させるものである。
【０００３】
前記電気コネクタ１５として、図１２に示すように、例えば、フレキシブル基板であるフレキシブルケーブル２０をコネクタに導入するための導入口１６と、本体の絶縁ハウジングである上部プレート１７と、該上部プレート１７から十分長く延在している下部プレート１８と、該下部プレート１８に備えられる複数のコンタクト１９と、前記挿入口１６内にてスライド可能な部材で、フレキシブルケーブル２０と前記コンタクト１９との接触を図るように挟装するロック部材２１とから構成されているものが知られている（例えば、特許文献１参照。）。
【０００４】
【特許文献１】
国際公開第００／３６７０８号パンフレット（第４頁、第２図）
【０００５】
【発明が解決しようとする課題】
しかしながら、上記のようなオープンタイプの電気コネクタ１５においては、前記フレキシブルケーブル２０を挿入口１６に差し込む際のガイドが目視に頼るものであるので、プリント基板面に沿っての挿入作業がし難い場合がある。また、フレキシブルケーブル２０を挿入口１６から差し込んで、ロック部材１６をスライドさせて挟装させたときに、当該電気コネクタ２０の先端部が所定の位置まで挿入され挟持されたか否かの確認がし難いものである。
【０００６】
また、前記ロック部材を完全に閉じない限り、フレキシブルケーブル２０を固定することができない。更に、フレキシブルケーブル２０の引張り強度が、水平方向及び垂直方向においても弱いという課題がある。本発明に係る電気コネクタは、このような課題を解決するために提案されたものである。
【０００７】
【課題を解決するための手段】
上記課題を解決するために、本発明に係る電気コネクタの要旨は、フレキシブル基板を、コネクタ本体である絶縁ハウジングとこれに回動自在に支持されるカバーとで挟持して前記絶縁ハウジングに配設されたコンタクトに電気的に接続させる電気コネクタにおいて、前記カバーに前記フレキシブル基板を挿入させるための挿入ガイド部を設けたことである。
【０００８】
前記カバーにフレキシブル基板の先端部を曲線状の段差部で仮止めする仮止め手段が設けられていること、；
前記カバーの上面に、フレキシブル基板の先端部が所定の位置まで挿入されたか否かを目視させる挿入確認窓が設けられていること、；
前記フレキシブル基板を挟持するカバーと絶縁ハウジングとの両挟持面のそれぞれに、凹凸部を設けると共に、前記カバーの回転を阻止する回転止め手段が絶縁ハウジングに設けられていること、
を含むものである。
【０００９】
本発明に係る電気コネクタによれば、コネクタ本体の絶縁ハウジングに対して上方斜めに立ち上がっているカバーの挿入ガイド部に、ＦＰＣ若しくはＦＦＣ等のフレキシブル基板の先端部を差し込むようになるので、プリント基板に実装された電気コネクタに当該プリント基板面に沿って差し込まなければならない従来方法よりも挿入作業が容易になるものである。
【００１０】
また、前記カバーに仮止め手段が設けられているので、フレキシブル基板の挿入作業において、カバーの挟持方向への回転時に当該フレキシブル基板が抜け出すおそれがない。更に、挿入確認窓により、外部から目視にてフレキシブル基板の先端部の位置が所定の位置にあるかどうかを確認することができる。
【００１１】
そして、カバーと絶縁ハウジングとの挟持面となる面に、各々凹凸部があるので、フレキシブル基板が強固に挟持されるようになる。また、回転止め手段により、カバーが改装しないようにしっかりと絶縁ハウジングに保持される。よって、この電気コネクタに装着されたフレキシブル基板は、プリント基板面に沿った方向とそれに直交する方向に引張られても、強度的に強く抵抗して、固定力が向上する。
【００１２】
【発明の実施の形態】
次に、本発明に係る電気コネクタ１について、図面を参照して説明する。前記コネクタ１は、図１乃至図３に示すように、ＦＦＣ若しくはＦＰＣ等のフレキシブル基板を、コネクタ本体である絶縁ハウジング２と、これに回動自在に支持されるカバー３と、で挟持して前記絶縁ハウジング２に配設された複数個のコンタクト４、５に電気的に接続させるものである。
【００１３】
前記絶縁ハウジング２には、図３（Ａ），（Ｂ）に示すように、前記コンタクト４，５がそれぞれコンタクト圧入溝２ａ（図５参照）に圧入されている。前記コンタクト４，５の先端部４ａ，５ａは、図４に示すＦＰＣやＦＦＣ等のフレキシブル基板６の端子部６ａに摺接する。
【００１４】
更に、コンタクト４の上側に延ばされた延長部において、上部から下方に向けて設けられた係合突起４ｂは、前記カバー３が絶縁ハウジング２に閉蓋・挟持作用された時に、当該カバー側の凹部３ａと係合してして、カバー３の前後方向への抜け防止をするものである。
【００１５】
前記絶縁ハウジング２の形状は、図５乃至図７に示すように、左右方向に細長く形成され、そこにコンタクト圧入溝２ａが、交互にスタガ（千鳥）配置にして前後方向に設けられ、左右端部には、側方に開口する２箇所の回動部を移動用溝で連結して成る軸受け部２ｂが各々設けられ、更にその前方には、カバー係止用の係止部２ｃが各々設けられている。
【００１６】
また、前方への延設部２ｄの左右端部の下部にも、同様の係止部２ｅが各々設けられている。前記係止部２ｃとこの係止部２ｅとにより、回転止め手段が形成されるものである。なお、前記軸受け部２ｂには、カバー側の軸部が抜け出さないように抜け防止突起２ｆが設けられている。前記延設部２ｄの上面には、フレキシブル基板６の挟持面として、凸部２ｇが設けられている。
【００１７】
前記カバー３は、図８乃至図１０に示すように、本体部が左右に細長いもので、その左右両端部に前後方向に延びる回動腕部３ｂと、該回動腕部３ｂの後端部で内側に向けて突出させた軸部３ｃ並びに斜め立ち上げ時の仮止突起３ｄとが設けられている。
【００１８】
更に、前記回動腕部３ｂの基部の内側に前記絶縁ハウジング２の係止部２ｃに係合する係止部３ｅと、本体部の左右両端部に上下方向に穿設された挿入確認窓３ｆと、本体部の前方の左右両端部にコ字型に開口させて設けられた挿入ガイド部３ｇと、更に、前記絶縁ハウジング２の係止部２ｅに係合する係止部３ｈと、前記両挿入ガイド部３ｇの各々の奥には、仮止め手段として曲線状の段差部３ｉが設けられている。また、図９（Ｃ），図１０（Ｂ）に示すように、フレキシブル基板６を挟持する挟持面に凸部３ｊが設けられている。
【００１９】
このように、絶縁ハウジング２にカバー３が、軸受け部２ｂに軸部３ｃが嵌合して、回動腕部３ｂによって回動自在にされ、図１に示すように、絶縁ハウジング２の本体部上面に当接して仮止めされる仮止突起３ｄによって、カバー３が斜め上方に立ち上がった状態で仮止めされて、例えば、プリント基板上に電気コネクタ１として実装されるとともに、ケーブル装着前の基本状態となっている。
【００２０】
前記基本状態の電気コネクタ１に、図４に示すフレキシブル基板６を装着する際の、種々の作用について説明する。
【００２１】
まず、図４に示すフレキシブル基板６の先端部を、図１に示す、プリント基板に実装された基本状態の電気コネクタ１のカバー３に挿入する。この実施例では、絶縁ハウジング２にフレキシブル基板６を挿入するのではなく、絶縁ハウジング２に対して斜めに傾斜して起立しているカバー３に挿入するのである。
【００２２】
前記フレキシブル基板６の先端部において、側方に突出している耳部６ｂ，６ｃを、前記カバー３の挿入ガイド部３ｇに挿入する。すると、図１０（Ａ）に示すように、前記耳部６ｂ，６ｃが、前から後方に移動して曲線状の段差部３ｉに沿って、下から上に移動し、内部に入り込む。これにより、耳部６ｂ，６ｃが前方に戻されてもカバー３の内壁に衝突して、簡単に抜け出すことが無く、フレキシブル基板６が仮止め作用されることになる。
【００２３】
前記フレキシブル基板６をカバー３に仮止めした状態（図１１（Ｃ）の状態）から、前記カバー３を軸部３ｃを中心にして下方向（反時計方向）に回転させて略水平状態（同図（Ｂ）参照）にする。そして、カバー３を後方にスライドさせて押し込む。前記軸部３ｃは、軸受け部２ｂの前方側の回動部から若干細い巾の連結部を通過して後方の回動部へと移動する（同図（Ａ）参照）。
【００２４】
前記フレキシブル基板６の端子部６ａがそれぞれ、延設部２ｄの上面から突出しているスタガ配置のコンタクト４，５の先端部４ａ，５ａに当接して、電気的接続が成される。
【００２５】
同時に、後方にスライドしたカバー３の凹部３ａと、図３（Ａ）に示すコンタクト４の係合突起４ｂとが係合する。よって、フレキシブル基板６が前方へ引っ張られた場合の、カバー３の絶縁ハウジング２に対する前方への移動が阻止され、緩むことがない。
【００２６】
又、カバー３の係止部３ｅが絶縁ハウジング２の係止部２ｃに係合すると共に、係止部３ｈが同係止部２ｅに係合する。これにより、フレキシブル基板６が上方向に引っ張られても、前記係止部に２ｃ，２ｅによって、カバー３が軸部３ｃを中心にして上方向に回転するのが確実に阻止される。
【００２７】
更に、カバー３の挟持面における凸部３ｊと、絶縁フランジ２側の挟持面の凸部２ｇとが互いの相手側凹部に嵌合して、フレキシブル基板６を挟み込み、当該ケーブル６を強固に固定する。
【００２８】
前記フレキシブル基板６が強固に固定されるとともに、カバー３が水平方向と上方向とに移動・回転しないようにされるので、ケーブル６が水平方向若しくは上方向に引っ張られても、電気コネクタ１におけるケーブルの固定力が弱まることがない。
【００２９】
また、フレキシブル基板６を前記基本状態においてカバー３に装着した状態、そして、カバー３を絶縁ハウジング２に水平に固定させた装着状態において、挿入確認窓３ｆから直接的に、フレキシブル基板６の耳部６ｂ，６ｃを目視して、ケーブルの挿入位置の確認ができる。よって、フレキシブル基板６の端子部６ａが正規の位置まで挿入されて保持されていることが、確認できるのである。
【００３０】
【発明の効果】
上記説明したように、本発明に係る電気コネクタは、ＦＰＣ若しくはＦＦＣ等のフレキシブル基板を、コネクタ本体である絶縁ハウジングとこれに回動自在に支持されるカバーとで挟持して前記絶縁ハウジングに配設されたコンタクトに電気的に接続させる電気コネクタにおいて、前記カバーに前記フレキシブル基板を挿入させるための挿入ガイド部を設けたので、斜めに傾斜しているカバーに挿入することになり、フレキシブル基板の挿入作業が容易となって作業効率が向上すると言う優れた効果を奏するものである。
【００３１】
前記カバーにフレキシブル基板の先端部を曲線状の段差部で仮止めする仮止め手段が設けられているので、ケーブル挿入作業中にケーブルが抜け出ることが無く、作業がスムーズになると言う優れた効果を奏するものである。
【００３２】
前記カバーの上面に、フレキシブル基板の先端部が所定の位置まで挿入されたか否かを目視させる挿入確認窓が設けられているので、ケーブルの挿入・装着状態を容易に確認できると言う優れた効果を奏するものである。
【００３３】
前記フレキシブル基板を挟持するカバーと絶縁ハウジングとの両挟持面のそれぞれに、凹凸部を設けると共に、前記カバーの回転を阻止する回転止め手段が絶縁ハウジングに設けられているので、フレキシブル基板が強固に保持されると共に、ケーブルが引張られて緩むことがないという効果がある。
【図面の簡単な説明】
【図１】本発明に係る電気コネクタ１の斜視図である。
【図２】同本発明に係る電気コネクタ１における平面図（Ａ）、正面図（Ｂ）である。
【図３】図２（Ａ）中のＸ−Ｘ線に沿った断面図（Ａ）と、同Ｙ−Ｙ線に沿った断面図（Ｂ）である。
【図４】フレキシブル基板６の一部平面図である。
【図５】電気コネクタ１の絶縁ハウジング２の斜視図である。
【図６】同絶縁ハウジング２の背面図（Ａ）、平面図（Ｂ）、正面図（Ｃ）、底面図（Ｄ）である。
【図７】図６（Ｂ）中のＸ−Ｘ線に沿った断面図（Ａ）、同Ｙ−Ｙ線に沿った断面図（Ｂ）、絶縁ハウジング２の側面図（Ｃ）、図６（Ｃ）中のＺ−Ｚ線に沿った断面図である。
【図８】電気コネクタ１におけるカバー３の斜視図である。
【図９】カバー３の平面図（Ａ）、同正面図（Ｂ）、同底面図（Ｃ）、同側面図（Ｄ）である。
【図１０】図９（Ａ）中のＭ−Ｍ線に沿った断面図（Ａ）、同Ｎ−Ｎ線に沿った断面図（Ｂ）である。
【図１１】電気コネクタ１の使用状態の説明図であり、コネクタ１の納品状態若しくはケーブル装着状態を示す説明図（Ａ）、カバー３を水平状態にして前方に移動した状態の説明図（Ｂ）、カバー３が斜めに起立した状態の説明図（Ｃ）である。
【図１２】従来例に係る電気コネクタ１５の斜視図である。
【符号の説明】
１　　　電気コネクタ、　　　　　　　　　　２　　　絶縁ハウジング、
２ａ　　圧入溝、　　　　　　　　　　　　　２ｂ　　軸受け部、
２ｃ　　係止部、　　　　　　　　　　　　　２ｄ　　延設部、
２ｅ　　係止部、　　　　　　　　　　　　　２ｆ　　抜け防止突起、
２ｇ　　凸部、　　　　　　　　　　　　　　３　　　カバー、
３ｂ　　回動腕部、　　　　　　　　　　　　３ｃ　　軸部、
３ｄ　　仮止突起、　　　　　　　　　　　　３ｅ　　係止部、
３ｆ　　挿入確認窓、　　　　　　　　　　　３ｇ　　挿入ガイド部、
３ｈ　　係止部、　　　　　　　　　　　　　３ｉ　　段差部、
３ｊ　　凸部、　　　　　　　　　　　　　　４，５　コンタクト、
４ａ，５ａ　先端部、　　　　　　　　　　　４ｂ　　係合突起、
６　　　フレキシブル基板、　　　　　　　　６ａ　　端子部、
６ｂ，６ｃ　耳部。
【図１】
2004111141.tif 000003
【図２】
2004111141.tif 000004
【図３】
2004111141.tif 000005
【図４】
2004111141.tif 000006
【図５】
2004111141.tif 000007
【図６】
2004111141.tif 000008
【図７】
2004111141.tif 000009
【図８】
2004111141.tif 000010
【図９】
2004111141.tif 000011
【図１０】
2004111141.tif 000012
【図１１】
2004111141.tif 000013
【図１２】
2004111141.tif 000014